(57)【要約】      （修正有）【課題】プラスチック容器の包装、取り扱い、輸送および格納の費用を削減する。【解決手段】少なくとも１つの正面壁と、一端にそこから上方に延びる蓋付きネックを有し、該ネックの反対側の端の頂点部で前記少なくとも１つの正面壁に接する上部壁と、底壁と、前記頂点部の略馬蹄型の凹部とを備える成形プラスチック容器である。前記凹部は、隣接する成形プラスチック容器の逆向きにした蓋付きネックを受け入れるのに十分な寸法を有していて、これにより容器の嵌め合わせが可能とされている。【選択図】  図３
2007015737.tif 000002
【特許請求の範囲】
【請求項１】
少なくとも１つの正面壁と、
一端にそこから上方に延びる蓋付きネックを有し、該ネックの反対側の端の頂点部で前記少なくとも１つの正面壁に接する上部壁と、
底壁と、
前記頂点部の凹部と
を備え、前記凹部が、隣接する成形プラスチック容器の逆向きにした蓋付きネックを受け入れるのに十分な寸法を有していて、これにより嵌め合わせが可能とされた成形プラスチック容器。
【請求項２】
前記上部壁が前記ネックから前記頂点部まで下向きに傾斜している、請求項１に記載の容器。
【請求項３】
前記凹部が約３００度の不完全な円の形状を有している、請求項１に記載の容器。
【請求項４】
約１リットルの容積を有している請求項１に記載の容器。
【請求項５】
潤滑油の入った請求項１に記載の容器。
【請求項６】
前記容器のそれぞれの前記蓋付きネックが、逆向きの関係で隣接する容器の凹部内に嵌められている、請求項１に記載の成形プラスチック容器を複数収容している箱。
【請求項７】
１２個の成形プラスチック容器を収容している請求項６に記載の箱。
【発明の詳細な説明】
【発明の背景】
【０００１】
本発明は、液体、特には潤滑油を包装する分野に関する。
【０００２】
平らな正面部と片側にネックとを有するプラスチック容器で一般の潤滑油、また他の液体を梱包する従来の方法が、広く行われており、世界中で共通化されている。従来、そのような容器は全て、全ての面、すなわち垂直面、水平面および傾斜面をそれぞれ滑らかにして製造されてきた。
【０００３】
従来、これらのプラスチック容器には１リットル収容し、一度充填されると、それらは１２個のロットでボール箱内に梱包される。これらの容器は、必ず、ネックを上向きにして並んで垂直姿勢でボール箱内に梱包され、こうしてそれらは所定の体積を占めていた。
【発明の概要】
【０００４】
本発明の目的は、プラスチック容器に関連する包装、取扱い、輸送および格納の費用を削減することにある。
【０００５】
本発明のさらなる目的は、従来技術の容器に類似した外観を容器に与えることにある。
【０００６】
これらおよび他の目的を達成するために、本発明は、少なくとも１つの正面壁と、一端にそこから上方に延びる蓋付きネックを有し、該ネックの反対側の端の頂点部で前記少なくとも１つの正面壁に接する上部壁と、底壁と、前記頂点部の略馬蹄型の凹部とを備え、前記凹部が、隣接する成形プラスチック容器の逆向きにした蓋付きネックを受け入れるのに十分な寸法を有していて、これにより嵌め合わせが可能とされた成形プラスチック容器に向けられている。
【０００７】
当技術分野で通例のように、前記上部壁は、通常、前記ネックから前記頂点部まで下向きに傾斜しており、また、前記凹部は、通常、約３００°の不完全な円の形状を有している。
【好適な実施形態の説明】
【０００８】
本発明の範囲は、一般には潤滑油を、またその他の液体を入れておくために現在用いられているプラスチック容器に成形された凹部（その縁が馬蹄型である）を特徴として備える先進的なモデルであり、図１において正面視点から示している。
【０００９】
この凹部１（その縁が馬蹄型である）は、プラスチック容器の上部に成形され、プラスチック容器は、頂点部３の中央から始まって形成される変則的な垂直側面２を有している。頂点部３は、斜めエッジ４の下方部が垂直エッジ５の頂点に接する点に形成され、垂直エッジ５は容器の底部から始まる。斜めエッジの上端からは、図２の洋なし形状８に示すように、容器の固有の本体および底部が変則的になるようにして、円形ねじ蓋７を有する円形ネック６が現れる。
【００１０】
この凹部を図３に明示する。凹部の縁は、馬蹄型であり、約３００度の不完全な円９の形状でプラスチック容器に成形されていて、直径は円形ねじ蓋の直径よりも数ミリ大きい。またその深さは、円形ネックの幅と、ネック上へと下方にねじ締めされる円形蓋の高さとの和よりも数ミリ深い。この凹部は、１リットルのプラスチック容器に成形する場合、約４０ミリリットルの容積を占める。
【００１１】
その単純さにもかかわらず、現在製造されている多くの垂直構造プラスチック容器の片側にこの凹部を適用することで、グローバル化の要件を満たすことができる。第１に、本実施形態は、容器を収容するボール箱がより小さいサイズになるために梱包費用を最小限に抑えるだけでなく、車両当たりより多くの数の箱を輸送しうるため、したがって、それに見合って車両当たりより多くの数の容器を輸送しうるために輸送費用を最小限に抑えるものであり、また、物理的なスペースの点で著しい節約がされるために格納費用を最小限に抑えるものである。これら全ての利益は、プラスチック容器に凹部を入れることによって得られるものであり、またこれは、従来の外観においていかなる実質的な変更もなしに得られるものである。マーケティングの点で、昔からの製品イメージは完全に保たれる。
【００１２】
プラスチック容器の片側に馬蹄型の凹部を入れることで達成される最終製品における費用削減は著しく、また以下のようにして達成される。
【００１３】
本発明の容器を利用することにより、ボール箱内に充填済み容器を梱包する、差別化された経済的な方法が可能とされる。この差別化された経済的な梱包の方法により、現在１２個の容器を収容しているボール箱の体積が、非常に小さいサイズに減少される。このボール箱の体積の減少は、プラスチック容器の片側に入れられた凹部により可能とされる、１２個の容器の同じロットの革新的な梱包方法で達成される。
【００１４】
１２個の容器のロットは、現在、ネックを上向きにして垂直姿勢で並んでボール箱内に梱包されている。１２個の容器の片側に凹部を入れることで、これらの同じ容器を、体積が約３０％程度減少された別のボール箱に異なる方法で並べることができる。図６および図７に示すこの体積の減少は、１２個の容器をボール箱内に配列する革新的な方法のおかげで達成される。図７に示すように、それぞれのロットに２つの容器を有する６個のロットがあり、並んで配置される。２つの容器のそれぞれのロットは、次のようにある逆向きの人間工学的な形で垂直姿勢で配列される。一方の容器はネックを上向きにして置かれ、このネックが、逆の姿勢でネックを下方に向けて置かれた他方の容器の凹部内に嵌まる。他方の容器はネックを下方に向けて置かれ、このネックが、逆の姿勢でネックを上方に向けて置かれたもう一方の容器の凹部に、ある人間工学的な形で嵌まる。
【００１５】
本発明の凹部を利用することで達成され、包装、取扱い、輸送および格納の費用を削減するのに役立ち、かつ、一般には潤滑油を、またその他の液体を充填するあらゆる容積のあらゆるプラスチック容器に同様に使用することもできるこの斬新な包装方法に重点を置くことは重要である。
【００１６】
他の尺度に加えての包装、取扱い、輸送および格納の費用の削減によって、約３５％の費用が節約されることになる。そのような節約が実証されかつ完全に理解されることができるように、１リットルのプラスチックの潤滑油用容器を用いて一例を述べる。潤滑油の梱包に用いられる従来の容器と、凹部が入れられて作られた本発明の容器との間の比較を行う。
【００１７】
費用調査は非常に控えめなもので、ベースとしての縦が１２０ｃｍ、幅が１００ｃｍであるパレットと、１２個の積み重ねられた潤滑油の１リットル容器を収容しているボール箱とを用い、１４０ｃｍの高さ制限に基づいたものである。このパレットにおいて、それぞれには１２個の１リットル潤滑油用容器を収容しているが容積の異なる箱を用いて、ボール箱を積み重ねる２つの作業を行った。
【００１８】
・第１の作業は、旧来の１２個の１リットル潤滑油容器を収容している通常の容積のボール箱を用いて行った。この箱は、縦が３７．２ｃｍ、横が２７ｃｍ、高さが２２ｃｍある。パレットは１２，０００ｃｍ２の面積を有しているため、１２個のボール箱をそれぞれの水平層に並べることができる。垂直に６層の積み重ねを全高１３２ｃｍで行った結果、パレット当たり７２個の箱を並べることになった。
【００１９】
・第２の作業は、１２個の本発明による潤滑油の１リットル容器を収容している、体積の減少されたボール箱を用いて行った。体積の減少された箱は、縦が３７．２ｃｍ、横が１３．５ｃｍ、高さが３４ｃｍある。パレットは１２，０００ｃｍ２の面積を有しているため、２４個のボール箱をそれぞれの水平層に並べることができる。垂直に４層の積み重ねを全高１３６ｃｍで行った結果、８６４個から１１５２個まで、パレット当たりの１リットル容器の数が１／３増加して、パレット当たり９６個のボール箱を並べることになった。
【００２０】
このように、本発明を用いることで、製品製造業者、輸送会社、取引業者、およびエンドユーザーでさえも、包装、取扱い、輸送および格納の費用削減によって確実に利益を得るということが示された。
【図面の簡単な説明】
【００２１】
【図１】本発明による容器の正面図である。
【図２】本発明による容器の、関連する上面図および底面図を伴った正面図である。
【図３】上部から正面側にかけての、本発明による容器の斜視図である。
【図４】本発明による容器の後面図である。
【図５】本発明による容器の前面図である。
【図６】嵌め合わせのために互いに接近しつつある２つの容器の正面図である。
【図７】２つの嵌め合わされた容器の正面図である。
【符号の説明】
【００２２】
１…凹部、２…垂直側面、３…頂点部、４…斜めエッジ、５…垂直エッジ、６…円形ネック、７…蓋。
【図１】
2007015737.tif 000003
【図２】
2007015737.tif 000004
【図３】
2007015737.tif 000005
【図４】
2007015737.tif 000006
【図５】
2007015737.tif 000007
【図６】
2007015737.tif 000008
【図７】
2007015737.tif 000009